(57)【特許請求の範囲】
【請求項１】
マルチチャネルオーディオ信号を復元する装置であって、
ダウンミックス信号ビットストリームをデコードし、実数及び複素数ＱＭＦ領域、または時間領域のダウンミックス信号を出力するＨＥ−ＡＡＣデコーダと、
付加情報ビットストリーム及び前記ダウンミックス信号を用いてマルチチャネルオーディオ信号を生成する高品質モードＭＰＥＧサラウンドデコーダとを備え、
該高品質モードＭＰＥＧサラウンドデコーダが、
低電力ＭＰＥＧサラウンドデコーダにおける前記時間領域または実数ＱＭＦ領域のダウンミックス信号に対する実数−複素数の変換において導入される遅延を前記時間領域のダウンミックス信号または前記複素数ＱＭＦ領域のダウンミックス信号に適用する遅延端と、
前記遅延端の出力信号とＱＭＦ残余入力信号とにナイキスト解析を行うナイキスト解析端と、
を備えることを特徴とするオーディオ信号復元装置。
【発明の詳細な説明】
【技術分野】
【０００１】
本発明は、ＭＰＥＧサラウンドデコーダにおいて、ダウンミックスオーディオ信号の種類に応じて遅延を調整し、ダウンミックス信号とＭＰＥＧサラウンド付加情報（ｓｉｄｅ  ｉｎｆｏｒｍａｔｉｏｎ）信号との間の同期を制御する装置に関する。特に、本発明は、ＭＰＥＧサラウンドデコーダにおいて、ＨＥ−ＡＡＣで符号化されたダウンミックス信号をＱＭＦ領域ではない時間領域の信号を利用するとき、実数ＱＭＦ領域に接続するときと、複素数ＱＭＦ領域で接続するときとの異なった遅延のため、ＨＥ−ＡＡＣデコーダとＭＰＥＧサラウンドデコーダとの間の同期がずれてしまう現象を、遅延手段を介して相殺することにより、窮極的にＭＰＥＧサラウンドデコーダのマルチチャネルのオーディオ出力信号の同期を維持する装置に関する。
【背景技術】
【０００２】
マルチチャネルオーディオ信号をダウンミックス信号及び付加情報で圧縮する技術であるＭＰＥＧサラウンド技術は、エンコーダから伝達されたダウンミックス信号及び付加情報ストリームを高品質と低電力といった２種類の方法でデコードを具現し得る。高品質のＭＰＥＧサラウンドデコーダは、残余信号及び時間処理（ｔｅｍｐｏｒａｌ  ｐｒｏｃｅｓｓｉｎｇ：ＴＰ）ツールを使用して高音質を提供するが、高い複雑度を要求するモードである。これに比べ、低電力のＭＰＥＧサラウンドデコーダは、ＱＭＦ（Ｑｕａｄｒａｔｕｒｅ  Ｍｉｒｒｏｒ  Ｆｉｌｔｅｒ）の演算を実数演算に変更するなどの方法により複雑度を減少させることで、音質は多少劣化するものの、携帯電話のような低電力端末で使用するためのモードである。
【０００３】
ＭＰＥＧサラウンドデコーダは、ＡＡＣ（Ａｄｖａｎｃｅｄ  Ａｕｄｉｏ  Ｃｏｄｉｎｇ）またはＨＥ−ＡＡＣ（Ｈｉｇｈ−Ｅｆｆｉｃｉｅｎｃｙ  Ａｄｖａｎｃｅｄ  Ａｕｄｉｏ  Ｃｏｄｉｎｇ）のような一般的なモノ／ステレオオーディオ符号化器で圧縮されたダウンミックス信号を付加情報ストリームを用いてマルチチャネルオーディオ信号を復元する。このとき、使われる付加情報ストリームは、周波数の帯域別に提供されることから、ダウンミックス信号をＱＭＦ及びナイキストフィルタ（ｎｙｑｕｉｓｔ  ｆｉｌｔｅｒ）バンクで構成されたハイブリッドフィルタバンクを用いて周波数帯域に変換する動作を行わなければならないため、これによる遅延が存在する。仮に、ダウンミックス信号がＭＰＥＧサラウンドのようにＱＭＦで処理されたＨＥ−ＡＡＣの場合、復号化の過程中にＱＭＦ領域の信号を直ちに抽出し、ＭＰＥＧサラウンド復号化器に適用し得ることから、フィルタによる遅延が防止できる。
【０００４】
ＭＰＥＧサラウンドの高品質デコーダは、図１に示すように、時間領域のダウンミックスのみならず、ＨＥ−ＡＡＣ復号化過程において獲得し得るＱＭＦ周波数領域の信号も利用することができる。仮に、時間領域のダウンミックス信号を利用する場合は、ＱＭＦ解析フィルタバンク１０１及びナイキスト解析フィルタバンク１０２を実行する過程において、７０４サンプルの遅延が発生する。そして、図２に示すようなマルチチャネルオーディオ信号の合成過程において、ナイキスト合成フィルタバンク２０１で０サンプルの遅延が発生し、ＱＭＦ合成フィルタバンク２０２によって２５７サンプルの遅延が発生する。したがって、合わせて９６１サンプルの遅延が発生する。仮に、ＨＥ−ＡＡＣで符号化されたダウンミックス信号を利用するときには、ＭＰＥＧサラウンドの高品質デコーダのＱＭＦフィルタとＨＥ−ＡＡＣデコーダのＱＭＦフィルタとが同じであるため、ＨＥ−ＡＡＣの復号過程において獲得し得るＱＭＦ領域の信号を直接利用することができ、ナイキストフィルタに必要な３８４サンプルの先読み（ｌｏｏｋ−ａｈｅａｄ）信号もＨＥ−ＡＡＣデコーダのＳＢＲ（Ｓｐｅｃｔｒａｌ  Ｂａｎｄ  Ｒｅｐｌｉｃａｔｉｏｎ）のツールで既に使用可能であるため、フィルタ過程において遅延が生じない長所がある。
【０００５】
しかし、ＨＥ−ＡＡＣで符号化されたダウンミックス信号を時間領域においてＭＰＥＧサラウンドと結合するときは、ＨＥ−ＡＡＣのＱＭＦ合成過程で発生する遅延（２５７サンプル）と、ＭＰＥＧサラウンドの高品質デコーダのＱＭＦ及びナイキスト解析フィルタ過程で発生する遅延（７０４サンプル）とのことから、ＭＰＥＧサラウンドの付加情報信号から抽出した空間パラメータを９６１サンプルの分だけ遅延させ、ダウンミックス信号のためのＨＥ−ＡＡＣデコーダとＭＰＥＧサラウンドの高品質デコーダとの間の同期を維持し、希望のマルチチャネルを復元する。
【０００６】
参考文献「ＩＳＯ／ＩＥＣ  ＪＴＣ１／ＳＣ２９／ＷＧ１１  Ｎ８１７７、Ｓｔｕｄｙ  ｏｎ  Ｔｅｘｔ  ｏｆ  ＩＳＯ／ＩＥＣ  ＦＣＤ２３００３−１、ＭＰＥＧ  Ｓｕｒｒｏｕｎｄ」、「Ａｕｄｉｏ  Ｅｎｇｉｎｅｅｒｉｎｇ  Ｓｏｃｉｅｔｙ  Ｃｏｎｖｅｎｔｉｏｎ  Ｐａｐｅｒ、ｐｒｅｓｅｎｔｅｄ  ａｔ  ｔｈｅ  １１５ｔｈ  Ｃｏｎｖｅｎｔｉｏｎ、２００３  Ｏｃｔｏｂｅｒ１０−１３、Ｎｅｗ  Ｙｏｒｋ」、「Ａｕｄｉｏ  Ｅｎｇｉｎｅｅｒｉｎｇ  Ｓｏｃｉｅｔｙ  Ｃｏｎｖｅｎｔｉｏｎ  Ｐａｐｅｒ、ｐｒｅｓｅｎｔｅｄ  ａｔ  ｔｈｅ  １１９ｔｈ  Ｃｏｎｖｅｎｔｉｏｎ、２００５  Ｏｃｔｏｂｅｒ７−１０、Ｎｅｗ  Ｙｏｒｋ」などは、ここでの引用によって本明細書に統合されることとする。
【発明の概要】
【発明が解決しようとする課題】
【０００７】
本発明は、ＭＰＥＧサラウンドデコーダからＨＥ−ＡＡＣで符号化されたダウンミックス信号であって、ＱＭＦ領域でない時間領域の信号を利用するとき、ＱＭＦ実数領域に接続するときと、ＱＭＦ複素数領域で接続するときとの異なった遅延のため、ＨＥ−ＡＡＣデコーダとＭＰＥＧサラウンドデコーダとの間の同期がずれてしまう現象を、遅延手段を介して相殺することにより、窮極的にはＭＰＥＧサラウンドデコーダのマルチチャネルのオーディオ出力信号の同期を維持する装置及び方法を提供することを目的とする。
【０００８】
本発明の目的は、前述した目的に制限されず、言及されていない本発明のほかの目的及び長所は下記の説明によって理解され、本発明の実施形態によってさらに明らかに理解できるであろう。また、本発明の目的及び長所は、特許請求の範囲に示す手段及びその組み合わせによって実現されることを容易に理解できるであろう。
【課題を解決するための手段】
【０００９】
かかる目的を達成するための本発明は、実数ＱＭＦ領域、複素数ＱＭＦ領域、及び時間領域のうち、少なくとも１つのダウンミックス信号及び付加情報ビットストリームを用いてマルチチャネルオーディオ信号を生成するＭＰＥＧサラウンドデコーダであって、該ＭＰＥＧサラウンドデコーダが、前記ダウンミックス信号の種類に応じて遅延を調整し、前記ダウンミックス信号と前記付加情報ビットストリームとの間の同期を合せることを一つの特徴とする。
【００１０】
また、本発明は、実数ＱＭＦ領域、複素数ＱＭＦ領域、及び時間領域のうち、少なくとも１つのダウンミックス信号及び付加情報ビットストリームを用いてマルチチャネルオーディオ信号を生成する高品質モードＭＰＥＧサラウンドデコーダであって、低電力モードＭＰＥＧサラウンドデコーダの実数−複素数の変換において導入される遅延を補償するためにダウンミックス信号の経路でナイキスト解析フィルタの前に追加される遅延端を備えることを他の特徴とする。
【００１１】
また、本発明は、実数ＱＭＦ領域、複素数ＱＭＦ領域、及び時間領域のうち、少なくとも１つのダウンミックス信号及び付加情報ビットストリームを用いてマルチチャネルオーディオ信号を生成するＭＰＥＧサラウンドデコード方法であって、前記時間領域のダウンミックス信号をＱＭＦ解析するステップと、該ＱＭＦ解析ステップの出力信号または前記複素数ＱＭＦ領域のダウンミックス信号に低電力モードの実数−複素数の変換において導入される遅延を適用するステップと、前記遅延された信号及びＱＭＦ残余入力信号にナイキスト解析を行うステップと、を含むことを更なる特徴とする。
【００１２】
また、本発明は、マルチチャネルオーディオ信号を復元する装置であって、ダウンミックス信号ビットストリームをデコードし、実数ＱＭＦ領域、複素数ＱＭＦ領域、及び時間領域のうち、少なくとも１つのダウンミックス信号を出力するＨＥ−ＡＡＣデコーダと、付加情報ビットストリーム及び前記ダウンミックス信号を用いてマルチチャネルオーディオ信号を生成するＭＰＥＧサラウンドデコーダとを備え、該ＭＰＥＧサラウンドデコーダが、前記ＨＥ−ＡＡＣデコーダから出力されるダウンミックス信号の種類に応じて遅延を調整し、前記ダウンミックス信号と前記付加情報ビットストリームとの間の同期を合せることを更なる特徴とする。
【００１３】
また、本発明は、マルチチャネルオーディオ信号を復元する装置であって、ダウンミックス信号ビットストリームをデコードし、実数ＱＭＦ領域、複素数ＱＭＦ領域、及び時間領域のうち、少なくとも１つのダウンミックス信号を出力するＨＥ−ＡＡＣデコーダと、付加情報ビットストリーム及び前記ダウンミックス信号を用いてマルチチャネルオーディオ信号を生成する高品質モードＭＰＥＧサラウンドデコーダとを備え、該高品質モードＭＰＥＧサラウンドデコーダが、低電力モードＭＰＥＧサラウンドデコーダの実数−複素数の変換において導入される遅延を補償するためにダウンミックス信号の経路においてナイキスト解析フィルタの前に追加される遅延端を備えることを更なる特徴とする。
【００１４】
また、本発明は、マルチチャネルオーディオ信号を復元する装置であって、ダウンミックス信号ビットストリームをデコードし、実数ＱＭＦ領域、複素数ＱＭＦ領域、及び時間領域のうち、少なくとも１つのダウンミックス信号を出力するＨＥ−ＡＡＣデコーダと、付加情報ビットストリーム及び前記ダウンミックス信号を用いてマルチチャネルオーディオ信号を生成するＭＰＥＧサラウンドデコーダとを備え、該ＭＰＥＧサラウンドデコーダは、前記時間領域のダウンミックス信号に対して実数ＱＭＦ解析を行うＱＭＦ解析部と、前記実数ＱＭＦ領域のダウンミックス信号を複素数ＱＭＦ領域のダウンミックス信号に変換する実数−複素数の変換部と、前記実数−複素数の変換において導入される遅延を前記ＨＥ−ＡＡＣデコーダから出力される前記複素数ＱＭＦ領域のダウンミックス信号に対して適用する遅延端と、を備えることを更なる特徴とする。
【００１５】
また、本発明は、実数ＱＭＦ領域、複素数ＱＭＦ領域、及び時間領域のうち、少なくとも１つのダウンミックス信号及び付加情報ビットストリームを用いてマルチチャネルオーディオ信号を生成するＭＰＥＧサラウンドデコーダであって、前記時間領域のダウンミックス信号に対して実数ＱＭＦ解析を行うＱＭＦ解析部と、前記実数ＱＭＦ領域のダウンミックス信号を複素数ＱＭＦ領域のダウンミックス信号に変換する実数−複素数の変換部と、前記実数−複素数の変換において導入される遅延を前記前記複素数ＱＭＦ領域のダウンミックス信号に対して適用する遅延端と、を備えることを更なる特徴とする。
【００１６】
また、本発明は、マルチチャネルオーディオ信号を復元する方法であって、ダウンミックス信号ビットストリームをデコードし、実数ＱＭＦ領域、複素数ＱＭＦ領域、及び時間領域のうち、少なくとも１つのダウンミックス信号を出力するステップと、付加情報ビットストリーム及び前記ダウンミックス信号を用いてマルチチャネルオーディオ信号を生成するステップとを含み、該マルチチャネルオーディオ信号生成ステップが、前記ダウンミックス信号の種類に応じて遅延を調整し、前記ダウンミックス信号と前記付加情報ビットストリームとの間の同期を合せることを更なる特徴とする。
【００１７】
また、本発明は、マルチチャネルオーディオ信号を復元する方法であって、ダウンミックス信号ビットストリームをデコードし、実数ＱＭＦ領域、複素数ＱＭＦ領域、及び時間領域のうち、少なくとも１つのダウンミックス信号を出力するステップと、付加情報ビットストリーム及び前記ダウンミックス信号を用いてマルチチャネルオーディオ信号を生成するステップとを含み、該マルチチャネルオーディオ信号生成ステップが、前記時間領域のダウンミックス信号に対して実数ＱＭＦ解析を行う過程と、前記実数ＱＭＦ領域のダウンミックス信号を複素数ＱＭＦ領域のダウンミックス信号に変換する過程と、前記実数−複素数の変換において導入される遅延を前記複素数ＱＭＦ領域のダウンミックス信号に対して適用する過程と、を含むことを更なる特徴とする。
【００１８】
また、本発明は、ＨＥ−ＡＡＣデコーダ及びＭＰＥＧサラウンド低電力デコーダを用いてマルチチャネルオーディオ信号を復元する装置であって、前記ＨＥ−ＡＡＣデコーダから出力される実数領域のＱＭＦ信号を複素数領域のＱＭＦ信号に変換させる実数−複素数変換器と、前記ＨＥ−ＡＡＣデコーダから出力される複素数領域のＱＭＦ信号に対し、前記実数−複素数変換器で発生する遅延を適用する遅延手段と、を備えることを更なる特徴とする。
【００１９】
また、本発明は、ＨＥ−ＡＡＣデコーダ及びＭＰＥＧサラウンド低電力デコーダを用いてマルチチャネルオーディオ信号を復元する装置であって、前記ＨＥ−ＡＡＣデコーダから出力される時間領域のダウンミックス信号の空間パラメータに対し、ＱＭＦ及びナイキストフィルタバンクで発生する遅延を適用する遅延手段を備えることを更なる特徴とする。
【００２０】
また、本発明は、ＨＥ−ＡＡＣデコーダ及びＭＰＥＧサラウンド低電力デコーダを用いてマルチチャネルオーディオ信号を復元する装置であって、前記ＨＥ−ＡＡＣデコーダから出力される実数領域のＱＭＦ信号を複素数領域のＱＭＦ信号に変換させる実数−複素数変換器と、前記ＨＥ−ＡＡＣデコーダから出力される複素数領域のＱＭＦ信号に対し、前記実数−複素数変換器で発生する遅延を適用する第１遅延手段と、前記ＨＥ−ＡＡＣデコーダから出力される時間領域のダウンミックス信号の空間パラメータに対し、ＱＭＦ及びナイキストフィルタバンクで発生する遅延を適用する第２遅延手段と、を備えることを更なる特徴とする。
【００２１】
また、本発明は、ＨＥ−ＡＡＣデコーダ及び高品質モードＭＰＥＧサラウンドデコーダを用いてマルチチャネルオーディオ信号を復元する装置であって、前記ＨＥ−ＡＡＣデコーダから出力される複素数領域のＱＭＦ信号に対し、低電力ＭＰＥＧサラウンドデコーダで利用される実数−複素数の変換過程で発生する遅延を適用する遅延端を備えることを更なる特徴とする。
【００２２】
また、本発明は、ＨＥ−ＡＡＣデコーダから出力されるダウンミックス信号及び付加情報ストリームを入力とし、マルチチャネルオーディオ信号を復元するＭＰＥＧサラウンドデコーダであって、前記ＨＥ−ＡＡＣデコーダから出力される実数領域のＱＭＦ信号を複素数領域のＱＭＦ信号に変換させる実数−複素数変換器と、前記ＨＥ−ＡＡＣデコーダから出力される複素数領域のＱＭＦ信号に対し、前記実数−複素数変換器で発生する遅延を適用する第１遅延手段と、を備えることを更なる特徴とする。
【００２３】
また、本発明は、ＨＥ−ＡＡＣデコーダから出力されるダウンミックス信号及び付加情報ストリームを入力とし、マルチチャネルオーディオ信号を復元する方法であって、前記ＨＥ−ＡＡＣデコーダから出力される実数領域のＱＭＦ信号を複素数領域のＱＭＦ信号に変換させるステップと、前記ＨＥ−ＡＡＣデコーダから出力される複素数領域のＱＭＦ信号に対し、前記実数−複素数の変換ステップで発生する遅延を適用するステップと、を含むことを更なる特徴とする。
【発明の効果】
【００２４】
以上で説明した本発明によると、ＨＥ−ＡＡＣデコーダ及びＭＰＥＧサラウンドデコーダを用いてマルチチャネルオーディオ信号を復元するとき、ＨＥ−ＡＡＣデコーダから出力されるダウンミックス信号を実数領域のＱＭＦ信号、複素数領域のＱＭＦ信号、及び時間領域信号に付加したとき、遅延端を追加することによってダウンミックス信号とＭＰＥＧサラウンドデコーダとの間の同期を維持し、希望のマルチチャネルオーディオ信号を復元することができる。
【図面の簡単な説明】
【００２５】
【図１】ＭＰＥＧサラウンドの高品質デコーダのハイブリッド解析フィルタバンクの構造図である。
【図２】ＭＰＥＧサラウンドの高品質デコーダのハイブリッド合成フィルタバンクの構造図である。
【図３】ＨＥ−ＡＡＣデコーダ及びＭＰＥＧサラウンド低電力デコーダを利用したマルチチャネルオーディオ信号の合成過程を説明する図面である。
【図４】ＭＰＥＧサラウンド低電力デコーダのハイブリッド解析フィルタバンク及び合成フィルタバンクの構造図である。
【図５】本発明において提案される遅延端を備えるＭＰＥＧサラウンド低電力デコーダのハイブリッド解析フィルタバンク及び合成フィルタバンクの構造図である。
【図６】本発明において提案される遅延端を備える高品質モードのＭＰＥＧサラウンドデコーダのハイブリッド解析フィルタバンク及び合成フィルタバンクの構造図である。
【発明を実施するための形態】
【００２６】
前述した目的、特徴、及び長所は、添付の図面を参照して詳細に後述されている詳細な説明を介してさらに明確になり、それによって、本発明が属する技術分野において通常の知識を有する者が本発明の技術的な思想を容易に実施することができるであろう。また、本発明を説明するにあたり、本発明と関連した公知技術に対する具体的な説明が本発明の要旨を不要に濁すと判断される場合は、その詳細な説明は省略する。以下、添付の図面を参照して本発明にかかる好ましい実施形態を詳説する。
【００２７】
まず、図３は、ＨＥ−ＡＡＣデコーダ及びＭＰＥＧサラウンド低電力デコーダを利用したマルチチャネルオーディオ信号の合成過程を説明する図面である。
【００２８】
ＨＥ−ＡＡＣデコーダ３０１は、ダウンミックス信号のビットストリームが入力され、モノ／ステレオ信号及びダウンミックス信号を出力する。ＨＥ−ＡＡＣデコーダ３０１から出力されたダウンミックス信号は、付加情報ビットストリーム及びＭＰＥＧサラウンド低電力デコーダ３０２に入力され、ＭＰＥＧサラウンド低電力デコーダ３０２は、マルチチャネルオーディオ信号を復元して出力する。
【００２９】
ダウンミックス信号がＨＥ−ＡＡＣエンコーダを介して符号化され、ＭＰＥＧサラウンドエンコーダを用いてマルチチャネルオーディオ信号から付加信号が抽出されたとき、ダウンミックス信号は、ＨＥ−ＡＡＣデコーダ３０１を介して抽出され、マルチチャネルオーディオ信号は、ＭＰＥＧサラウンド低電力デコーダ３０２を介して復元される。このとき、ＨＥ−ＡＡＣデコーダ３０１から抽出されるダウンミックス信号は、低複雑度（ｌｏｗ  ｃｏｍｐｌｅｘｉｔｙ）ＨＥ−ＡＡＣデコーダの場合は、実数のＱＭＦ係数であり、一般的なＨＥ−ＡＡＣデコーダの場合は、複素数のＱＭＦ係数である。また、ＨＥ−ＡＡＣデコーダ３０１から時間領域のダウンミックス信号を抽出して利用することもできる。
【００３０】
図４は、ＭＰＥＧサラウンド低電力デコーダのハイブリッド解析フィルタバンク及び合成フィルタバンクの構造図である。
【００３１】
図示したように、ＭＰＥＧサラウンド低電力デコーダを用いてマルチチャネルオーディオ信号を復元する端末において、時間領域のダウンミックス信号をＭＰＥＧサラウンド低電力デコーダに入力するとき、実数ＱＭＦ解析フィルタバンク４０１及び合成フィルタバンク４０７、ナイキスト解析フィルタバンク４０３及び合成フィルタバンク４０５、実数−複素数変換器４０２及び複素数−実数変換器４０６による時間遅延を発生する。しかし、低複雑度ＨＥ−ＡＡＣデコーダから実数ＱＭＦ領域のダウンミックス信号を利用するときは、実数−複素数変換器４０２、及び複素数−実数変換器４０６による遅延のみを考慮すればよい。これは、ＱＭＦ解析フィルタバンク４０１及びナイキスト合成フィルタバンク４０５による遅延は、ＨＥ−ＡＡＣデコーダのＳＢＲツールにおいても同じＱＭＦフィルタを使用することから既に考慮されており、ナイキスト解析フィルタバンク４０３及び合成フィルタバンク４０５に必要な先読み情報もＳＢＲツールで利用できることから、追加的な遅延を必要としないためである。そして、ＱＭＦ残余信号のための遅延端４０４は、ダウンミックス信号が実数−複素数変換器４０２を通過する間に発生する遅延を合せることにより、ナイキスト解析フィルタバンク４０３に入力される信号などの同期を合せるために必要である。
【００３２】
本発明は、実数ＱＭＦ係数で伝達されるダウンミックス信号のみならず、複素数ＱＭＦ係数、時間領域信号で伝達されるダウンミックス信号と、ＭＰＥＧサラウンド低電力デコーダ（空間パラメータ）との同期を合せる方法を提供する。その過程を、図５を参照して説明する。
【００３３】
同図は、本発明において提案される遅延端を備えるＭＰＥＧサラウンド低電力デコーダのハイブリッド解析フィルタバンク及び合成フィルタバンクの構造図である。
【００３４】
一般的なＨＥ−ＡＡＣデコーダのＱＭＦ合成フィルタバンクの直前に抽出した複素数領域のＱＭＦ信号を、ＭＰＥＧサラウンドのハイブリッドフィルタバンク構造に入力するときは、既に複素数ＱＭＦ領域にダウンミックス信号が存在しているため、実数−複素数変換器５０３を経由する必要がない。したがって、複素数ＱＭＦ領域のダウンミックス信号をナイキスト解析フィルタバンク５０４に直接入力すればよい。ただし、時間領域または実数ＱＭＦ領域のダウンミックス信号が、実数−複素数変換器５０３を通過する過程で発生する遅延を補償するために、追加的な遅延端５０５が必要である。もちろん、実数ＱＭＦ領域のダウンミックス信号を利用するように、ＱＭＦ解析フィルタバンク５０２及び合成フィルタバンク５０９と、ナイキスト解析フィルタバンク５０４及び合成フィルタバンク５０７とによる遅延は、ＨＥ−ＡＡＣデコーダで考慮しているため、これによる追加的な遅延は発生しない。
【００３５】
そして、ＨＥ−ＡＡＣで符号化された時間領域のダウンミックス信号を、ＭＰＥＧサラウンド低電力デコーダと結合するときは、ＨＥ−ＡＡＣ  ＱＭＦ合成フィルタバンク過程で発生する遅延と、ＭＰＥＧサラウンド低電力デコーダの実数ＱＭＦ解析フィルタバンク５０２及びナイキスト解析フィルタバンク５０４の過程で発生する遅延と、実数−複素数変換器５０３により発生する遅延とが合算されたものと同じサンプルの分だけの遅延をＭＰＥＧサラウンドの付加情報信号から抽出した空間パラメータに適用する遅延端５０１を追加し、ダウンミックス信号のためのＨＥ−ＡＡＣデコーダとＭＰＥＧサラウンド低電力デコーダとの間の同期を維持させる。
【００３６】
図６は、本発明において提案される遅延端を備える高品質モードのＭＰＥＧサラウンドデコーダのハイブリッド解析フィルタバンク及び合成フィルタバンクの構造図である。図示したように、実数領域のダウンミックス信号がＱＭＦ解析フィルタバンク６０１を経由して遅延端６０２に入力され、複素数領域のダウンミックス信号は直ちに遅延端６０２に入力される。遅延端６０２の出力は、ＱＭＦ残余入力信号と共にナイキスト解析フィルタバンク６０３に入力され、ナイキスト解析フィルタバンク６０３は、ハイブリッドサブバンド領域の信号を出力する。
【００３７】
前述したように、ＨＥ−ＡＡＣデコーダと低電力モードのＭＰＥＧサラウンドデコーダとが接続されたとき、複素数領域のＱＭＦ信号に対して遅延端５０５が追加される過程を、高品質モードにおいても追加する。これは、低電力モードのＭＰＥＧサラウンドデコーダの実数−複素数変換器による遅延を高品質モードのＭＰＥＧサラウンドデコーダの同期を合せるために、図６に示すように、複素数領域のＱＭＦ信号に対する遅延端６０２を追加するものである。
【００３８】
一方、前述したような本発明の方法は、コンピュータプログラムで作成可能である。そして、前記プログラムを構成しているコード及びコードセグメントは、当該分野のコンピュータプログラマによって容易に推論され得る。また、前記作成されたプログラムは、コンピュータが読み込むことのできる記録媒体（情報保存媒体）に保存され、コンピュータにより判読されて実行されることによって、本発明の方法を具現する。そして、前記記録媒体は、コンピュータが判読できる全ての形態の記録媒体を含む。
【００３９】
以上で説明した本発明は、本発明が属する技術分野において通常の知識を有する者において本発明の技術的な思想から離れない範囲内で様々な置換、変形、及び変更が可能であるため、前述した実施形態及び添付の図面によって限定されるものではない。
【００４０】
本発明は、既存のモノ／ステレオオーディオ受信機と互換性を維持し、かつ高品質のマルチチャネルオーディオ信号を復元するとき、ダウンミックス信号と復元されるマルチチャネル信号との間の同期を維持するために活用され得る。
【図１】
0005508464.tif 000002
【図２】
0005508464.tif 000003
【図３】
0005508464.tif 000004
【図４】
0005508464.tif 000005
【図５】
0005508464.tif 000006
【図６】
0005508464.tif 000007